(57)【要約】【課題】沈胴状態におけるレンズ鏡筒およびカメラの径方向の寸法を大きくすることなく、光軸方向の厚さを小さくすること。【解決手段】複数のレンズ１２，１４，１６を有し、撮影状態では、複数のレンズ１２，１４，１６を同一の撮影光軸Ｌ上に位置させ、沈胴状態では、複数のレンズ１２，１４，１６を後方に偏倚させるレンズ鏡筒１０において、複数のレンズ１２，１４，１６のうち少なくとも１つのレンズ１６を、当該レンズ１６の光軸が撮影光軸Ｌに対して交差する体勢で、当該レンズ１６の前方に配置されるレンズ１２，１４の移動領域から退避させ、移動領域に、当該レンズ１６の前方にあるレンズ１２，１４の少なくとも一部を収容する。【選択図】  図１
2006030297.tif 000002
【特許請求の範囲】
【請求項１】
複数のレンズを有し、
撮影状態では、上記複数のレンズを同一の撮影光軸上に位置させ、
沈胴状態では、上記複数のレンズを後方に偏倚させるレンズ鏡筒において、
上記複数のレンズのうち少なくとも１つのレンズを、当該レンズの光軸が上記撮影光軸に対して交差する体勢で、当該レンズの前方に配置されるレンズの移動領域から退避させ、
上記移動領域に、当該レンズの前方にあるレンズの少なくとも一部を収容することを特徴とするレンズ鏡筒。
【請求項２】
前記複数のレンズを複数の群レンズで構成し入射側から向かって最も奥側の群レンズを退避させることを特徴とする請求項１記載のレンズ鏡筒。
【請求項３】
前記光軸から退避するレンズ又は群レンズは、そのレンズ又は群レンズを保持しているレンズ保持枠の一端を中心として回動するようにされたことを特徴とする請求項１記載のレンズ鏡筒。
【請求項４】
前記レンズ保持枠は、前記光軸方向に移動する移動枠に前記レンズ保持枠の一端を中心として回動可能に取り付けられていることを特徴とする請求項３記載のレンズ鏡筒。
【請求項５】
前記レンズ保持枠の一端に設けられた中心軸には、巻バネが取り付けられており、上記巻バネにより、退避する前記レンズ又は前記群レンズはその光軸が撮影光軸と一致する方向に回動可能に付勢されており、前記レンズ保持枠および前記移動枠にはストッパおよびストッパ受け部がそれぞれ互いに係止するように設けられていることを特徴とする請求項４記載のレンズ鏡筒。
【請求項６】
前記移動枠が前記複数のレンズ又は群レンズの入射側から奥側に移動する際、前記レンズ保持枠にガイド部が当接することにより、前記移動枠に取り付けられているレンズ又は群レンズを前記巻バネの付勢力に抗して回動することを特徴とする請求項５項記載のレンズ鏡筒。
【請求項７】
請求項１から６のいずれか１項記載のレンズ鏡筒を有することを特徴とするカメラ。
【請求項８】
前記光軸から退避するレンズ又は群レンズは、それぞれ３枚又は３群の中の１枚もしくは１群で構成され、沈胴状態のときに残りのレンズ又は群レンズの上部に配置されることを特徴とする請求項７記載のカメラ。
【発明の詳細な説明】
【技術分野】
【０００１】
本発明は、レンズ鏡筒および当該レンズ鏡筒を備えたカメラに関する。
【背景技術】
【０００２】
被写体像を大きくしたり小さくしたりする撮影、すなわちズーム撮影ができるカメラには、撮影時には、複数のレンズをそれぞれ保持する複数のレンズ保持体を光軸方向に移動させることで焦点距離を調整し、非撮影状態には、そのカメラのボディ内にそれぞれのレンズが収納する沈胴式レンズ鏡筒を備えたものがある。
【０００３】
一般的に、カメラには小型化が要求されており、上述した沈胴式レンズ鏡筒を備えるカメラの沈胴状態における小型化を、レンズ鏡筒を構成するレンズを撮影光軸から退避させることにより実現しているものとして、たとえば特許文献１のようなものが知られている。
【０００４】
特許文献１記載の沈胴式レンズ鏡筒は、撮影光学系を構成する第１群、第２群、第３群のレンズをそれぞれ有するレンズ鏡筒において、撮影状態では上記各レンズをそれぞれ同一光軸上に位置させ、沈胴状態では、第２群のレンズを残りの第１群、第３群のレンズの光軸から、その径方向に退避させ、その後、退避した第２群レンズと退避しない第１群、第３群のレンズをそれぞれ後退するように構成されている。
【０００５】
【特許文献１】特開２００３−３１５８６１号公報（図１〜図３）
【発明の開示】
【発明が解決しようとする課題】
【０００６】
図１１は特許文献１記載の沈胴式レンズ鏡筒８０の沈胴状態における第１群、第２群、第３群のレンズ８１、８２、８３、フィルタ８４および撮像素子８５の側面図を示している。この沈胴状態では、第２群のレンズ８２は残りの第１群、第３群のレンズ８１、８３の光軸Ｚ１から、当該光軸Ｚ１を中心とする径方向に退避されており、退避した第２群のレンズ８２の光軸Ｚ１‘は第１群、第３群のレンズ８１、８３の光軸Ｚ１に対して平行となっている。
【０００７】
しかしながら、このような構成では、第２群のレンズ８２を、その光軸Ｚ１‘が第１群、第３群のレンズ８１、８３の光軸Ｚ１に対して平行となるように径方向に退避させているため、鏡筒の径方向の寸法が大きくなってしまうという問題を有している。
【０００８】
本発明は上記の事情にもとづきなされたもので、その目的とするところは、沈胴状態において、径方向の寸法を大きくすることなく、光軸方向の寸法を小さくすることが可能なレンズ鏡筒およびカメラを提供しようとするものである。
【課題を解決するための手段】
【０００９】
上記課題を解決するために、本発明は、複数のレンズを有し、撮影状態では、複数のレンズを同一の撮影光軸上に位置させ、沈胴状態では、複数のレンズを後方に偏倚させるレンズ鏡筒において、複数のレンズのうち少なくとも１つのレンズを、当該レンズの光軸が撮影光軸に対して交差する体勢で、当該レンズの前方に配置されるレンズの移動領域から退避させ、移動領域に、当該レンズの前方にあるレンズの少なくとも一部を収容するものである。
【００１０】
このように構成した場合には、移動領域から退避したレンズの光軸が撮影光軸と交差する状態となることから、沈胴状態において、鏡筒の径方向の寸法が拡大することを抑えながら光軸方向の厚さを小さくすることができる。
【００１１】
また、他の発明は、上述の発明に加えて更に、複数のレンズを複数の群レンズで構成し入射側から向かって最も奥側の群レンズを退避させたものである。
【００１２】
このように構成した場合には、最も奥側のレンズ又は群レンズが解像度に与える影響は他の群レンズに比べて小さいので、レンズ又は群レンズを退避させるように構成することにより生じる解像度への影響を小さいものとすることができる。
【００１３】
また、他の発明は、上述の発明に加えて更に、光軸から退避するレンズ又は群レンズは、そのレンズ又は群レンズを保持しているレンズ保持枠の一端を中心として回動するようにされたものである。このように構成した場合には、レンズ保持枠の一端を中心として回動させるという簡単な構成でレンズ又は群レンズを退避させることができる。
【００１４】
また、他の発明は、上述の発明に加えて更に、レンズ保持枠は、光軸方向に移動する移動枠にレンズ保持枠の一端を中心として回動可能に取り付けられているものである。このように構成した場合には、レンズ保持枠により保持されているレンズ又は群レンズの退避は回動により行われ、当該レンズおよび群レンズは光軸方向にも移動可能となっている。
【００１５】
また、他の発明は、上述の発明に加えて更に、レンズ保持枠の一端に設けられた中心軸には、巻バネが取り付けられており、巻バネにより、退避するレンズ又は群レンズはその光軸が残りのレンズ又は群レンズの光軸と一致する方向に回動可能に付勢されており、レンズ保持枠および移動枠にはストッパおよびストッパ受け部がそれぞれ互いに係止するように設けられている。
【００１６】
このように構成した場合には、退避させられたレンズおよび群レンズは、巻バネの付勢力により撮影位置に復元することとなり、レンズ保持枠に設けられたストッパと移動枠に設けられたストッパ受け部が互いに係止することで退避させられていたレンズ又は群レンズは撮影位置に維持されることとなる。
【００１７】
さらに、他の発明は、上述の発明に加えて更に、移動枠が複数のレンズ又は群レンズの入射側から奥側に移動する際、レンズ保持枠にガイド部が当接することにより、移動枠に取り付けられているレンズ又は群レンズを巻バネの付勢力に抗して回動する。このように構成した場合には、ガイド部がレンズ保持枠に当接し、当該レンズ保持枠を回動することで、群レンズが退避させられることとなる。
【００１８】
また、他の発明は、上述の各発明に加えて更に、レンズ鏡筒をカメラに用いたものである。このように構成した場合には、沈胴状態では、カメラの径方向の寸法を大きくすることなく、光軸方向の厚さを小さくすることができる。
【００１９】
さらに、他の発明は、上述の発明に加えて更に、光軸から退避するレンズ又は群レンズは、それぞれ３枚又は３群の中の１枚もしくは１群で構成され、沈胴状態のときに残りのレンズ又は群レンズの上部に配置されるものである。このように構成した場合には、沈胴状態では、退避した群レンズの下方に、他の群レンズが納まることで、カメラの径方向の寸法を大きくすることなく、光軸方向の厚さを小さくすることができる。
【発明の効果】
【００２０】
本発明によると、レンズ鏡筒およびカメラの径方向の寸法を大きくすることなく、光軸方向の厚さを小さくすることが可能となる。
【発明を実施するための最良の形態】
【００２１】
以下、図面を参照しながら本発明に係るレンズ鏡筒およびカメラの実施の形態について説明する。なお、カメラについてはレンズ鏡筒の説明と併せて説明する。また、以下の説明において、撮影光軸をＬとし、撮影光軸に対し水平方向に垂直な軸をＭとする。また、光の入射側を前方、光の入射側から光軸に沿って奥側を後方とする。また、以下の説明において群レンズとは、１枚のレンズから構成されるものと複数枚のレンズから構成されるものの両者を含むものとする。
【００２２】
図１は、本発明の実施の形態に係るレンズ鏡筒１０の鏡筒を除いた部分を示す沈胴状態の斜視図である。
【００２３】
レンズ鏡筒１０は、第１群レンズ１２と、第２群レンズ１４と、第３群レンズ１６と、第３群レンズ１６を撮影位置および非撮影位置に変位させる変位用モータ４４から主に構成されている。
【００２４】
第１群レンズ１２、第２群レンズ１４および第３群レンズ１６は、前方から後方に向かって順に配置されている。また、レンズ鏡筒１０は、第１群レンズ１２と第２群レンズ１４が撮影光軸Ｌ方向に沿って進退可能なズーム式のレンズ鏡筒である。
【００２５】
撮影状態では、３つの群レンズ１２，１４，１６は同一の撮影光軸Ｌ上に位置している。一方、沈胴状態では、第３群レンズ１６は、その光軸が撮影光軸Ｌに対して略直交する体勢で、移動領域の外に配置される。つまり、第３群レンズ１６は、レンズ面を撮影光軸Ｌに向けて倒された体勢になるとともに、移動領域から退避した位置に配置される。そして、第１群レンズ１２および第２群レンズ１４が、移動領域側に移動すると撮影光軸Ｌに沿って最も後退した状態となる。ところで、移動領域とは、第３群レンズ１６が、退避した後のスペースであって、沈胴時には、第３群レンズ１６の前方にある第１群レンズ１２と第２群レンズ１４を、このスペース分だけさらに後方に移動を許容することができるスペースである。なお、第１群レンズ１２と第２群レンズ１４が、撮影光軸Ｌ方向へ沿って移動することにより、レンズ鏡筒１０は、広角撮影と望遠撮影とができる。
【００２６】
レンズ鏡筒１０において、第１群レンズ１２は、不図示の第１レンズ保持体に保持され、上述したように３つの群レンズ１２，１４，１６のうち最も入射端に近い位置、すなわち、最も前方に配置されている。また、第２群レンズ１４は、不図示の第２レンズ保持体に保持され、第１群レンズ１２の後方に配置されている。第２レンズ保持体の前方には、当該第２レンズ保持体に隣接して不図示のシャッタユニットが配設されている。当該シャッタユニットに設けられているシャッタにより第２群レンズに入る光量を調節する構成が採用されている。
【００２７】
第３群レンズ１６は、レンズ保持枠１８に取り付けられている。当該レンズ保持枠１８は、その一端１８ａを中心として第３群レンズ１６のレンズ面が前方に向かって回動可能となるように、後述する移動枠２０に取り付けられている。
【００２８】
図２は、レンズ保持枠１８と移動枠２０の構成を示す斜視図である。
【００２９】
レンズ保持枠１８の一端部１８ａの両端には、回転軸１９を挿通させるための回転軸受部１８ｂ，１８ｃが設けられている。移動枠２０は、略アーチ状の形状を有しており、その頂部２０ａには、レンズ保持枠１８の一端部１８ａが嵌まり込むための保持枠取り付け部２０ｂが形成されている。レンズ保持枠１８の一端部１８ａが保持枠取り付け部２０ｂに嵌め込まれた状態で、回転軸受部１８ｂ，１８ｃに回転軸１９を挿通することにより、レンズ保持枠１８は、回転軸１９を中心として移動枠２０に対して回動可能となるように支持される。
【００３０】
回転軸１９における回転軸受部１８ｂと回転軸受部１８ｃの間の部分には、巻バネ２２が挿入されている。当該巻バネ２２は、レンズ保持枠１８を、図１において退避した状態から、レンズ保持枠１８を、回転軸１９を中心として撮影光軸Ｌに向かって回動させるように、付勢されている。また、付勢力によって回動した第３群レンズ１６を、そのレンズ面が撮影光軸Ｌに対して垂直な状態に保持するために、レンズ保持枠１８の側方にはストッパ２４が設けられている。また、当該ストッパ２４と係止するように、移動枠２０にはストッパ受け部２６が設けられている。
【００３１】
図２における移動枠２０の右端には、螺合穴２８が形成されており、さらにその上方には軸受部３０が設けられている。軸受部３０には、後述する軸保持部４０に設けられている案内軸４２が挿通するための挿通穴３２が形成されている。また、螺合穴２８の内周面には螺合溝３５が形成されている。螺合穴２８には、後述する変位用モータ４４に設けられているウォームギヤ軸４６が螺合する。また、図２における移動枠２０の左端には、移動枠２０の移動をガイドするガイド溝２９が形成されている。
【００３２】
図１に示すように、移動枠２０は、基板５０に設けられている案内軸４２と移動枠ガイド軸４３により基板５０に保持されている。案内軸４２は、基板５０に設けられている円筒状の軸保持部５１から撮影光軸Ｌ方向前方に向かって突出するように形成されている。移動枠ガイド軸４３も、同様に、基板５０から撮影光軸Ｌ方向前方に向かって突出するように形成されている。基板５０は、レンズ鏡筒１０の最も奥側の壁面となっており、移動枠２０の後方に配置されている。また、移動枠２０は、基板５０に対して平行となるように配置されている。また、図１において、基板５０の右方には係止板５２が取り付けられており、該係止板５２には、係止穴５２aが設けられている。係止板５２は、後述する変位用モータ４４を撮影光軸Ｌ方向に係止している。また、基板５０における撮影光軸上にはフィルタ５４が固定されており、その後方には、不図示の撮像素子が配設されている。
【００３３】
図１における基板５０の右側には、変位用モータ４４が配設されている。変位用モータ４４には撮影光軸Ｌ方向前方に向かってウォームギヤ軸４６が設けられている。該ウォームギヤ軸４６は、前述した係止穴５２ａに挿入されている。さらに、係止穴５２ａに挿入されたウォームギヤ軸４６は、前方に配置されている移動枠２０の螺合穴２８に螺合されている。また、案内軸４２は、移動枠２０が撮影光軸Ｌ方向に移動可能となるように挿通孔３２に挿通されている。移動枠ガイド軸４３も、移動枠２０が撮影光軸Ｌ方向に移動可能となるように移動枠２０のガイド溝２９（図２参照）に係合されている。
【００３４】
このような構造を採用することにより、変位用モータ４４が駆動すると、ウォームギヤ軸４６が回転し、移動枠２０は撮影光軸Ｌ方向へ移動する。さらに、変位用モータ４４により、移動した移動枠２０の撮影光軸Ｌ方向への変位を調節することができる。これによって、合焦の調整がなされる。
【００３５】
次に、レンズ鏡筒１０の動作について説明する。
【００３６】
図１に示す状態は、移動枠２０が、基板５０と接する状態まで後退している状態である。第３群レンズ１６は、その光軸が撮影光軸Ｌに対して略直交させ、レンズ面が撮影光軸Ｌに向くように倒された体勢にされるとともに、移動領域から退避した位置に配置されている。そして、移動領域に少なくとも第２群レンズ１４の一部が収容されるように、第１群レンズ１２と第２群レンズ１４が後退し、第１群レンズ１２および第２群レンズ１４が撮影光軸Ｌに沿って最も後退している状態となる。
【００３７】
図３は、図１のＮ−Ｎ線で切断した断面を示す図である。図３において、レンズ保持枠１８の下方には、基板５０から撮影光軸Ｌ方向前方に向かって突出するガイド部５６が形成されている。図３は、移動枠２０が基板５０と接している状態を示している。この状態では、移動枠２０が撮影光軸Ｌに沿って基板５０に向かって後方に移動する際、ガイド部５６の先端がレンズ保持枠１８に当接することにより、第３群レンズ１６は、巻バネ２２の付勢力に抗して、光軸が撮影光軸Ｌに対して略直交するまで回動して退避している。
【００３８】
レンズ鏡筒１０を含むカメラの電源をオンにすると、図４に示すように、図３の沈胴状態から第１群レンズ１２および第２群レンズ１４が撮影光軸Ｌ方向前方に向かって移動し、第３群レンズ１６が撮影位置に変位できるような状態となる。この状態では、第１群レンズ１２および第２群レンズ１４が前方に移動しているため、第３群レンズ１６を、撮影位置に変位させても第３群レンズ１６が第１群レンズ１２および第２群レンズ１３に干渉しない。なお、第１群レンズ１２と第２群レンズ１４の移動は、不図示のズームモータからの駆動力により第１群レンズ１２を保持している不図示の第１レンズ保持体および第２群レンズ１４を保持している不図示の第２レンズ保持体を撮影光軸Ｌ方向に変位させることによって行われる。
【００３９】
上述した第１群レンズ１２および第２群レンズ１４が前方に移動した状態で、変位用モータ４４を駆動させて移動枠２０を撮影光軸Ｌ方向前方に向かって移動させると、ガイド部５６により退避させられていた第３群レンズ１６を保持するレンズ保持枠１８がガイド部５６の先端から離れ、巻バネ２２の付勢力により、図５に示す変位途中の状態を経て、撮影位置に変位する。その後、第３群レンズ１６が撮影位置に変位し、第２群レンズ１６が撮影状態からやや後退することにより、図６に示す標準撮影状態となる。なお、図７は、図５のＰ−Ｐ線で切断した断面図である。また、図８は、図６のＱ−Ｑ線で切断した断面図である。
【００４０】
図９は、本発明の実施の形態に係るレンズ鏡筒１０の望遠撮影状態での鏡筒を除いた部分の斜視図である。また、図１０は、本発明の実施の形態に係るレンズ鏡筒１０の広角撮影状態での鏡筒を除いた部分の斜視図である。
【００４１】
レンズ鏡筒１０は、望遠機能と広角機能を備えている。例えば、図９は、図６の標準撮影状態に対して第１群レンズ１２と第２群レンズ１４を望遠撮影状態となる位置に移動させた状態を示している。また、図１０は、図６の標準撮影状態に対して第１群レンズ１２と第２群レンズ１４を広角撮影状態となる位置に移動させた状態を示している。
【００４２】
レンズ鏡筒１０において、望遠撮影状態または広角撮影状態への変化は、上述したように、第１群レンズ１２と第２群レンズ１４を移動させることによって行われる。この動作により、第１群レンズ１２と第２群レンズ１４および第２群レンズ１４と第３群レンズ１６の間の距離を変化させることができ、レンズ鏡筒１０の焦点距離が変化することになる。このようにして、レンズ鏡筒１０は、ズーム機能を備えたものになる。
【００４３】
レンズ鏡筒１０を撮影状態から沈胴状態にする場合、第２群レンズ１４が図４における位置より後方に位置するときは、先ず、第２群レンズ１４を図４の位置まで前進させ、その状態で第３群レンズ１６を退避させる。その後、第３群レンズ１６を退避させた状態で第１群レンズ１２と第２群レンズ１４を沈胴位置まで後退させる。また、第２群レンズ１４が図４における位置より前方に位置するときは、第２群レンズ１４の移動を行うことなく、第３群レンズ１６を退避させ、その後、第３群レンズ１６を退避させた状態で第１群レンズ１２と第２群レンズ１４を沈胴位置まで後退させる。
【００４４】
レンズ鏡筒１０において、第１群レンズ１２の前方には、不図示のレンズバリヤが配設されており、レンズバリヤを開くことにより第１群レンズ１２への光の入射を可能とし、レンズバリヤを閉じることにより第１群レンズ１２への光の入射を遮断している。
【００４５】
図１０に示すように、基板５０の第３群レンズ１６の左下方から撮影光軸Ｌ方向前方に向かってレンズバリヤ駆動材５８が突出形成されている。また、レンズバリヤ駆動材５８の先端にはテーパ面５８ａが形成されている。レンズバリヤの外周は不図示のレンズバリヤ駆動環によって囲まれている。そのレンズバリヤ駆動環からはレンズ鏡筒１０の撮影光軸Ｌ方向後方に向かってレンズバリヤ駆動材５８と同軸上となるように不図示の駆動受け材が設けられており、その先端には不図示のテーパ面が形成されている。
【００４６】
レンズバリヤの閉動作は、レンズ鏡筒１０が沈胴状態に移動する際、レンズバリヤ駆動材５８のテーパ面５８ａが駆動受け材のテーパ面を摺動させて、レンズバリヤ駆動環をラジアル方向に回転させることによって行われる。また、レンズバリヤの開動作は、撮影状態に移行する際、レンズバリヤ駆動材５８のテーパ面５８ａが駆動受け材のテーパ面から離れ、レンズバリヤ駆動環が閉動作の場合と逆のラジアル方向に回転することによって行われる。
【００４７】
以上のように、レンズ鏡筒１０は、３つの群レンズ１２，１４，１６を有している。撮影状態では、３つの群レンズ１２，１４，１６を同一の撮影光軸上に位置させ、沈胴状態では、第３群レンズ１６を、保持枠１８の一端１８ａを中心として回動し、当該レンズの光軸を撮影光軸Ｌに対して略直交する状態とすることで、移動領域から退避させている。つまり、図１１に示すように、退避させるレンズの光軸を撮影光軸に対して平行な状態で退避させるのに比べて、第３群レンズ１６を、このレンズの光軸が撮影光軸Ｌに対し略直交する体勢で、移動領域の外に退避させることとした。そのため、鏡筒の径方向の寸法を大きくすることなく、第３群レンズ１６を退避させ、そして、移動領域分だけ、前方の第１群レンズ１２と第２群レンズ１４を後方に移動することで、沈胴時の光軸方向の厚さを小さくできる。
【００４８】
また、３つの群レンズ１２，１４，１６の内、入射側から向かって最も後方の第３群レンズ１６は、結像の解像度に与える影響は、他の群レンズに比べて小さい。このため、第３群レンズ１６を退避させるための構成、例えば、回転軸１９とこれを受ける回転軸受部１８ｂ、１８ｃとの間のクリアランスから生じる第３群レンズ１６の光軸と撮影光軸Ｌのずれに起因して発生する結像状態の劣化を小さくすることができる。
【００４９】
また、レンズ保持枠１８は、撮影光軸Ｌ方向に移動する移動枠２０にレンズ保持枠１８の一端を中心として回動可能に取り付けられている。このため、レンズ保持枠１８により保持されている第３群レンズ１６の退避は回動動作により行われる。また、当該群レンズ１６は撮影光軸Ｌ方向にも移動可能である。
【００５０】
また、レンズ保持枠１８の一端に設けられた回転軸１９には、巻バネ２２が取り付けられており、巻バネ２２により、退避する第３群レンズ１６はその光軸が撮影光軸Ｌと一致する方向に回動可能に付勢されている。加えて、レンズ保持枠１８および移動枠２０にはストッパ２４およびストッパ受け部２６がそれぞれ互いに係止するように設けられている。このため、退避させられた第３群レンズ１６は、巻バネ２２の付勢力により撮影位置に復元することとなる。したがって、レンズ保持枠１８に設けられたストッパ２４と移動枠２０に設けられたストッパ受け部２６が互いに係止することで退避させられていた第３群レンズは撮影位置に維持される。
【００５１】
また、移動枠２０が撮影光軸Ｌ方向に沿って後方に移動する際、レンズ保持枠１８にガイド部５６が当接することにより、移動枠２０に取り付けられている第３群レンズ１６を巻バネ２２の付勢力に抗して回動する機構が採用されている。このため、ガイド部５６がレンズ保持枠１８に当接し、当該レンズ保持枠１８を回動することで、第３群レンズ１６が退避させられる。
【００５２】
また、第２群レンズ１４は、不図示の第２レンズ保持体に保持され、当該第２レンズ保持体の前方に隣接して不図示のシャッタユニットが配設されている。このため、シャッタユニットに設けられているシャッタにより第２群レンズに入る光量を調節することができる。
【００５３】
また、本実施の形態では、レンズ鏡筒１０をカメラに用いている。そのため、沈胴状態では、カメラの径方向の寸法を大きくすることなく、撮影光軸Ｌ方向の厚さを小さくすることができる。
【００５４】
以上、本発明の一実施の形態について説明したが、本発明はこれ以外にも種々変形可能となっている。以下、その変形例について述べる。
【００５５】
上述の実施の形態に係るレンズ鏡筒１０において、レンズ鏡筒１０を構成する群レンズの数は３であるが、この数に限定されることなく、群レンズの数を４つ以上としても良いし、２つとしても良い。
【００５６】
また、レンズ鏡筒１０において、入射側から向かって最も後方の第３群レンズ１６のみが退避する構成が採用されているが、第３群レンズ１６に限ることなく、第２群レンズ１４を退避させても良い。また、第２群レンズ１４と第３群レンズ１６の両者を退避させても良い。さらに、４つ以上の群レンズから構成する場合においても任意の複数の群レンズを退避させるようにしても良い。
【００５７】
また、上述の実施の形態においては、第３群レンズ１６を、その光軸が撮影光軸Ｌに対して略直交する体勢で移動領域から退避することとしたが、第３群レンズ１６の体勢は、その光軸が撮影光軸Ｌと略直交することに限定されず、３０度あるいは４５度など任意の角度で交差するようにしてもよい。つまり、第３群レンズ１６が前後に傾斜した体勢とすることで、第３群レンズ１６を移動領域の外に退避させたときの、鏡筒の径寸法の拡大を抑えることができる。
【００５８】
また、レンズ鏡筒１０において、第３群レンズはレンズ鏡筒１０の上方に退避するような構成が採用されているが、これに限らず、レンズ鏡筒１０の下方に退避するような構成を採用しても良い。また、レンズ鏡筒１０の側方に退避するような構成を採用しても良い。
【００５９】
また、レンズ鏡筒１０において、手ぶれ等を補正する補正光学系は用いられてないが、レンズ内に振動ジャイロを備えた防振レンズを用いて、手ぶれを補正するための手ぶれ補正ユニットを設けるようにしても良い。
【産業上の利用可能性】
【００６０】
本発明のレンズ鏡筒およびカメラは、光学カメラやデジタルカメラ等の各種光学機器において利用できる。また、カメラ機能を有する携帯電話または医療機器においても利用することができる。
【図面の簡単な説明】
【００６１】
【図１】本発明の実施の形態に係るレンズ鏡筒の鏡筒が沈胴した状態での鏡筒を除いた部分の斜視図である。
【図２】本発明の実施の形態に係るレンズ鏡筒のレンズ保持枠と移動枠の構成を示す斜視図である。
【図３】本発明の実施の形態に係るレンズ鏡筒の断面を示す図であり、図１のＮ−Ｎ線で切断した断面である。
【図４】本発明の実施の形態に係るレンズ鏡筒の沈胴状態から第１群レンズおよび第２群レンズが撮影光軸方向前方に向かって移動した状態での鏡筒を除いた部分の斜視図である。
【図５】本発明の実施の形態に係るレンズ鏡筒の第３群レンズが退避位置から撮影位置変位する途中の状態での鏡筒を除いた部分の斜視図である。
【図６】本発明の実施の形態に係るレンズ鏡筒の標準撮影状態での鏡筒を除いた部分の斜視図である。
【図７】本発明の実施の形態に係るレンズ鏡筒の断面を示す図であり、図５のＰ−Ｐ線で切断した断面である。
【図８】本発明の実施の形態に係るレンズ鏡筒の断面を示す図であり、図６のＱ−Ｑ線で切断した断面である。
【図９】本発明の実施の形態に係るレンズ鏡筒の望遠撮影状態での鏡筒を除いた部分の斜視図である。
【図１０】本発明の実施の形態に係るレンズ鏡筒の広角撮影状態での鏡筒を除いた部分の斜視図である。
【図１１】従来の沈胴式レンズ鏡筒の沈胴状態における第１群、第２群、第３群のレンズ、フィルタおよび撮像素子を示す側面図である。
【符号の説明】
【００６２】
１０…レンズ鏡筒
１２…第１群レンズ
１４…第２群レンズ
１６…第３群レンズ
１８…レンズ保持枠
１９…回転軸
２０…移動枠
２４…ストッパ
２６…ストッパ受け部
５６…ガイド部
【図１】
2006030297.tif 000003
【図２】
2006030297.tif 000004
【図３】
2006030297.tif 000005
【図４】
2006030297.tif 000006
【図５】
2006030297.tif 000007
【図６】
2006030297.tif 000008
【図７】
2006030297.tif 000009
【図８】
2006030297.tif 000010
【図９】
2006030297.tif 000011
【図１０】
2006030297.tif 000012
【図１１】
2006030297.tif 000013